(57)【特許請求の範囲】
【請求項１】
略長方形状に形成されるカードを前記カードの短手方向に搬送して処理するカードリーダにおいて、
前記カードを搬送するカード搬送機構と、前記カードに当接して前記カードに記録された磁気データの読取および前記カードへの磁気データの記録の少なくともいずれか一方を行う磁気ヘッドと、前記カードの長手方向へ前記磁気ヘッドを移動させるヘッド移動機構と、前記カードの短手方向における前記カードの一端が当接する当接部とを備え、
前記カード搬送機構が、前記カードの短手方向における前記カードの一端を前記当接部に押し付けた状態で前記カードを保持しながら、前記磁気ヘッドが、前記カードの長手方向へ移動して、磁気データの読取および記録の少なくともいずれか一方を行うことを特徴とするカードリーダ。
【請求項２】
前記カード搬送機構は、前記カードに当接して前記カードを搬送する搬送ローラと、前記搬送ローラに向かって付勢されるパッドローラとを備え、
前記搬送ローラおよび前記パッドローラは、前記カードの短手方向における前記カードの一端を前記当接部に押し付けた状態で前記搬送ローラと前記パッドローラとの間に前記カードを保持することを特徴とする請求項１記載のカードリーダ。
【請求項３】
前記カードは、エンボス加工が施されるエンボス加工領域を備え、
前記搬送ローラおよび前記パッドローラは、前記カードの長手方向における前記カードの両端側であって前記エンボス加工領域を避けた部分に当接することを特徴とする請求項２記載のカードリーダ。
【請求項４】
前記カードが搬送されるカード搬送路と、前記カード搬送路から前記当接部を退避させる退避機構とを備え、
前記カード搬送機構は、前記カードの取込方向において前記当接部よりも奥側に配置され前記カードに当接して前記カードを搬送する第２搬送ローラと、前記第２搬送ローラに向かって付勢される第２パッドローラとを備えることを特徴とする請求項２または３記載のカードリーダ。
【請求項５】
前記カードリーダに前記カードが挿入されたことを検知するためのカード検知機構を備え、
前記カード検知機構は、前記カードの長手方向における前記カードの両端側を検知することで、前記カードリーダに前記カードが挿入されたことを検知することを特徴とする請求項１から４のいずれかに記載のカードリーダ。
【請求項６】
前記カードが挿入される挿入口が形成されるカード挿入部を備え、
前記カード挿入部は、前記カードの取込方向における前記挿入口の奥側を閉鎖するシャッタ部材を備えることを特徴とする請求項１から５のいずれかに記載のカードリーダ。
【請求項７】
前記カードの短手方向における前記カードの一端が前記当接部に当接した状態では、前記カードの全体が前記カードリーダ内に取り込まれていることを特徴とする請求項１から６のいずれかに記載のカードリーダ。
【請求項８】
前記カードに形成される外部接続端子に接触するＩＣ接点バネを備え、
前記カード搬送機構が、前記カードの短手方向における前記カードの一端を前記当接部に押し付けた状態で前記カードを保持しながら、前記ＩＣ接点バネが前記外部接続端子に接触してデータのやりとりを行うことを特徴とする請求項１から７のいずれかに記載のカードリーダ。
【請求項９】
前記カードに形成される外部接続端子に接触するＩＣ接点バネを備え、
前記ＩＣ接点バネが、前記外部接続端子を押えた状態で、前記磁気ヘッドが、前記カードの長手方向へ移動して、磁気データの読取および記録の少なくともいずれか一方を行うことを特徴とする請求項１から８のいずれかに記載のカードリーダ。
【発明の詳細な説明】
【技術分野】
【０００１】
本発明は、略長方形状に形成されるカードをその短手方向に搬送して処理するカードリーダに関する。
【背景技術】
【０００２】
従来、磁気媒体に形成された磁気ストライプに対する磁気データの読取と書込とを行う磁気ヘッド移動型の磁気ストライプ読取・書込装置が知られている（たとえば、特許文献１参照）。特許文献１に記載の磁気ストライプ読取・書込装置で処理される磁気媒体では、その搬送方向に対して直交する方向に磁気ストライプが形成されており、この磁気ストライプ読取・書込装置は、磁気ストライプが形成された方向へ磁気ヘッドを移動させるスライド機構と、磁気ヘッドの移動方向に直交する方向へ磁気媒体を搬送する搬送ローラとを備えている。
【先行技術文献】
【特許文献】
【０００３】
【特許文献１】特開平９−１２８８７２号公報
【発明の概要】
【発明が解決しようとする課題】
【０００４】
磁気ストライプを有するカードの形状は、国際規格やＪＩＳ規格によって規定されており、四隅に丸みを持った略長方形状となっている。磁気ストライプは、略長方形状に形成されるカードの長手方向に平行な帯状に形成されている。また、略長方形状に形成されるカードの短手方向における磁気ストライプの位置も、国際規格やＪＩＳ規格によって規定されており、カードの短手方向におけるカードの一端を基準とする所定の範囲内に磁気ストライプが形成されている。
【０００５】
特許文献１に記載の磁気ストライプ読取・書込装置のように、磁気ストライプの方向と直交する方向に磁気媒体を搬送する装置で、国際規格やＪＩＳ規格に準拠した磁気ストライプ付きのカードを処理する場合、カードは、その短手方向に搬送される。また、上述のように、国際規格やＪＩＳ規格に準拠した磁気ストライプ付きのカードでは、カードの短手方向におけるカードの一端を基準とする所定の範囲内に磁気ストライプが形成されている。そのため、この装置で、国際規格やＪＩＳ規格に準拠した磁気ストライプ付きのカードを処理する場合には、磁気データの読取や書込を行う際の磁気ヘッドと磁気ストライプとの位置がずれて、磁気データの読取や書込の精度が低下するおそれがある。
【０００６】
そこで、本発明の課題は、国際規格やＪＩＳ規格に準拠した磁気ストライプ付きのカードをその短手方向に搬送して処理する場合であっても、磁気データの読取精度や記録精度の低下を抑制することが可能なカードリーダを提供することにある。
【課題を解決するための手段】
【０００７】
上記の課題を解決するため、本発明のカードリーダは、略長方形状に形成されるカードをカードの短手方向で搬送して処理するカードリーダにおいて、カードを搬送するカード搬送機構と、カードに当接してカードに記録された磁気データの読取およびカードへの磁気データの記録の少なくともいずれか一方を行う磁気ヘッドと、カードの長手方向へ磁気ヘッドを移動させるヘッド移動機構と、カードの短手方向におけるカードの一端が当接する当接部とを備え、カード搬送機構が、カードの短手方向におけるカードの一端を当接部に押し付けた状態でカードを保持しながら、磁気ヘッドが、カードの長手方向へ移動して、磁気データの読取および記録の少なくともいずれか一方を行うことを特徴とする。
【０００８】
本発明のカードリーダでは、カード搬送機構が、略長方形状に形成されるカードの短手方向におけるカードの一端を当接部に押し付けた状態でカードを保持しながら、磁気ヘッドが、カードの長手方向へ移動して、磁気データの読取および記録の少なくともいずれか一方を行っている。すなわち、本発明では、国際規格やＪＩＳ規格に準拠した磁気ストライプ付きのカードにおいて磁気ストライプの形成範囲の基準となるカードの短手方向におけるカードの一端を当接部に押し付けた状態でカードを保持しながら、磁気ヘッドが移動して、磁気データの読取および記録の少なくともいずれか一方を行っている。そのため、磁気データの読取や記録を行う前の磁気ヘッドと磁気ストライプとの位置合わせを精度良く行うことが可能になり、また、磁気ヘッドがカードに当接しながら移動して磁気データの読取や記録を行っている際のカードの位置ずれを防止することが可能になる。したがって、本発明では、国際規格やＪＩＳ規格に準拠した磁気ストライプ付きのカードをその短手方向に搬送して処理する場合であっても、磁気データの読取精度や記録精度の低下を抑制することが可能になる。
【０００９】
本発明において、カード搬送機構は、たとえば、カードに当接してカードを搬送する搬送ローラと、搬送ローラに向かって付勢されるパッドローラとを備え、搬送ローラおよびパッドローラは、カードの短手方向におけるカードの一端を当接部に押し付けた状態で搬送ローラとパッドローラとの間にカードを保持する。この場合には、カードは、エンボス加工が施されるエンボス加工領域を備え、搬送ローラおよびパッドローラは、カードの長手方向におけるカードの両端側であってエンボス加工領域を避けた部分に当接することが好ましい。このように構成すると、磁気データの読取や記録を行う際に、カードの、エンボス加工領域を避けた凹凸のない部分を搬送ローラとパッドローラとの間で保持することができるため、カードの保持力を高めることが可能になる。したがって、磁気ヘッドがカードに当接しながら移動して磁気データの読取や記録を行っている際のカードの位置ずれを効果的に防止することが可能になる。また、このように構成すると、エンボス加工によって形成されたエンボスに搬送ローラやパッドローラが当接しないため、エンボスの損傷や、エンボス部分の塗装落ち等を防止することが可能になる。
【００１０】
本発明において、カードリーダは、カードが搬送されるカード搬送路と、カード搬送路から当接部を退避させる退避機構とを備え、カード搬送機構は、カードの取込方向において当接部よりも奥側に配置されカードに当接してカードを搬送する第２搬送ローラと、第２搬送ローラに向かって付勢される第２パッドローラとを備えることが好ましい。このように構成すると、当接部を退避させれば、第２搬送ローラと第２パッドローラとによって、カードの取込方向における奥側へカードを搬送することが可能になる。したがって、カードの取込方向におけるカードリーダの奥側で、カードに対する各種の処理を行ったり、カードを回収することが可能になる。
【００１１】
本発明において、カードリーダは、カードリーダにカードが挿入されたことを検知するためのカード検知機構を備え、カード検知機構は、カードの長手方向におけるカードの両端側を検知することで、カードリーダにカードが挿入されたことを検知することが好ましい。このように構成すると、たとえば、カードの長手方向にカードが搬送されるようにカードリーダにカードが挿入されて、カードの長手方向におけるカードの両端側がカード検知機構で検知されなかった場合に、カード搬送機構によってカードを取り込まないようにすることが可能になる。カードの長手方向で挿入されたカードがカードリーダに取り込まれる場合、犯罪者がカードリーダのカード挿入部に磁気ヘッドを取り付けると、この磁気ヘッドで磁気ストライプに記録された磁気データを不正に取得することが可能になるが、このように構成すると、カードの長手方向で挿入されたカードを取り込まないようにすることが可能になるため、犯罪者が取り付けた磁気ヘッドで磁気データを不正に取得するいわゆるスキミングを防止することが可能になる。また、カードの長手方向で挿入されたカードがカードリーダに取り込まれると、帯状に形成される磁気ストライプの幅方向（すなわち、カードの短手方向）へ磁気ヘッドが移動するおそれがあるため、磁気ストライプの幅方向で磁気ストライプに傷が生じるおそれがあり、磁気ストライプの幅方向で磁気ストライプに傷が生じると、磁気データの読取エラーが生じやすくなるが、このように構成すると、カードの長手方向で挿入されたカードを取り込まないようにすることが可能になるため、磁気ストライプの幅方向における磁気ストライプの傷の発生を防止することが可能になる。
【００１２】
本発明において、カードリーダは、カードが挿入される挿入口が形成されるカード挿入部を備え、カード挿入部は、カードの取込方向における挿入口の奥側を閉鎖するシャッタ部材を備えることが好ましい。このように構成すると、磁気データの読取や記録を行っている際にカードリーダからカードが抜き取られるのを防止することが可能になり、適切な磁気データの読取や記録を行うことが可能になる。
【００１３】
本発明において、カードの短手方向におけるカードの一端が当接部に当接した状態では、カードの全体がカードリーダ内に取り込まれていることが好ましい。このように構成すると、磁気データの読取や記録を行っている際にカードリーダからカードが抜き取られるのを防止することが可能になり、適切な磁気データの読取や記録を行うことが可能になる。
【００１４】
本発明において、カードリーダは、カードに形成される外部接続端子に接触するＩＣ接点バネを備え、カード搬送機構が、カードの短手方向におけるカードの一端を当接部に押し付けた状態でカードを保持しながら、ＩＣ接点バネが外部接続端子に接触してデータのやりとりを行うことが好ましい。国際規格やＪＩＳ規格に準拠したカードにおいては、カードの短手方向における外部接続端子の寸法公差は、カードの長手方向における外部接続端子の寸法公差よりも厳しいが、このように構成すると、データのやりとりを行う前の外部接続端子とＩＣ接点バネとの位置合わせを精度良く行うことが可能になり、かつ、データのやりとりを行っている際のカードの位置ずれを防止することが可能になる。したがって、外部接続端子とＩＣ接点バネとを適切に接触させて、適切なデータのやりとりを行うことが可能になる。
【００１５】
本発明において、カードリーダは、カードに形成される外部接続端子に接触するＩＣ接点バネを備え、ＩＣ接点バネが、外部接続端子を押えた状態で、磁気ヘッドが、カードの長手方向へ移動して、磁気データの読取および記録の少なくともいずれか一方を行うことが好ましい。このように構成すると、ＩＣ接点バネを利用して、磁気ヘッドがカードに当接しながら移動して磁気データの読取や記録を行っている際のカードの保持力を高めることが可能になる。したがって、磁気ヘッドがカードに当接しながら移動して磁気データの読取や記録を行っている際のカードの位置ずれを効果的に防止することが可能になる。
【発明の効果】
【００１６】
以上のように、本発明のカードリーダでは、国際規格やＪＩＳ規格に準拠した磁気ストライプ付きのカードをその短手方向に搬送して処理する場合であっても、磁気データの読取精度や記録精度の低下を抑制することが可能になる。
【図面の簡単な説明】
【００１７】
【図１】本発明の実施の形態にかかるカードリーダの斜視図である。
【図２】図１に示すカードの平面図である。
【図３】図１に示すカードリーダからカバー部材を取り外した状態の斜視図である。
【図４】図１に示すカードリーダからカバー部材を取り外した状態の平面図である。
【図５】図１に示すカードリーダからカバー部材を取り外した状態の正面図である。
【図６】図４等に示す磁気ヘッド、搬送ローラおよび当接部の配置関係を側面から説明するための図である。
【発明を実施するための形態】
【００１８】
以下、図面を参照しながら、本発明の実施の形態を説明する。
【００１９】
（カードリーダの構成）
図１は、本発明の実施の形態にかかるカードリーダ１の斜視図である。図２は、図１に示すカード２の平面図である。図３は、図１に示すカードリーダ１からカバー部材１３を取り外した状態の斜視図である。図４は、図１に示すカードリーダ１からカバー部材１３を取り外した状態の平面図である。図５は、図１に示すカードリーダ１からカバー部材１３を取り外した状態の正面図である。図６は、図４等に示す磁気ヘッド７、搬送ローラ２０、２１および当接部５０ａの配置関係を側面から説明するための図である。
【００２０】
本形態のカードリーダ１は、カード２に記録された磁気データの読取およびカード２への磁気データの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入される挿入口３が形成されるカード挿入部４と、カード２が搬送されるカード搬送路が形成される本体部５とを備えている。本体部５は、カード２を搬送するカード搬送機構６と、カード２に当接してカード２に記録された磁気データの読取やカード２への磁気データの記録を行う磁気ヘッド７と、カード２の搬送方向に直交する方向へ磁気ヘッド７を移動させるヘッド移動機構８と、カード２に形成される後述の端子部２ｂに接触してデータのやりとりを行うためのＩＣ接点ブロック９と、カードリーダ１内に取り込まれたカード２を位置決めするための位置決め機構１０（図４参照）とを備えている。
【００２１】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプ２ａが形成されている。また、カード２は、接触式のＩＣカードであり、カード２の表（おもて）面には、８個の外部接続端子からなる端子部２ｂが形成されている。カード２の一部は、エンボス加工が施されるエンボス加工領域２ｃとなっている。
【００２２】
磁気ストライプ２ａは、略長方形状に形成されるカード２の長手方向（図２のＶ方向）に平行な細長い帯状に形成されている。この磁気ストライプ２ａは、カード２の長手方向の全域に形成されている。また、磁気ストライプ２ａは、カード２の短手方向（図２のＷ方向）において、カード２の短手方向における一端２ｄ側に形成されている。具体的には、国際規格やＪＩＳ規格に基づいて、磁気ストライプ２ａは、カード２の短手方向において、カード２の一端２ｄを基準とする所定の範囲内に形成されている。端子部２ｂは、カード２の長手方向における一端側、かつ、カード２の短手方向における略中間位置に形成されている。端子部２ｂを構成する８個の外部接続端子は、カード２の短手方向において４行、かつ、カード２の長手方向において２列に配列されている。エンボス加工領域２ｃは、カード２の短手方向における他端側に配置されている。また、カード２の長手方向における両端側を除く所定の範囲がエンボス加工領域２ｃとなっている。
【００２３】
本形態では、図１等に示すＸ方向でカード２が搬送される。具体的には、Ｘ１方向にカード２が取り込まれ、Ｘ２方向にカード２が排出される。すなわち、Ｘ方向は、カード２の搬送方向であり、Ｘ１方向は、カード２の取込方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向でカード２を搬送して所定の処理を行う。
【００２４】
また、Ｘ方向に直交する図１等のＺ方向は、カードリーダ１内に取り込まれたカード２の厚さ方向であり、Ｘ方向とＺ方向とに直交する図１等のＹ方向は、カードリーダ１内に正常に取り込まれたカード２の長手方向である。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｚ１方向側を「上」側、Ｚ２方向側を「下」側とする。
【００２５】
カード挿入部４は、本体部５の前端面に取り付けられている。このカード挿入部４は、挿入口３の奥側を閉鎖するシャッタ部材１１と、カードリーダ１にカード２が挿入されたこと（すなわち、挿入口３にカード２が挿入されたこと）を検知するためのカード検知機構１２とを備えている。シャッタ部材１１、カード検知機構１２および本体部５の前面側は、カバー部材１３によって覆われている。
【００２６】
シャッタ部材１１は、挿入口３の奥側の全体を塞ぐように形成されている。このシャッタ部材１１には、ソレノイド１４が連結されている。シャッタ部材１１は、ソレノイド１４の動力で、挿入口３の奥側を閉鎖する閉位置と、挿入口３の奥側を開放する開位置との間を上下動する。本形態では、カードリーダ１にカード２が挿入される前の待機時には、シャッタ部材１１は、挿入口３の奥側を閉鎖しており、カード検知機構１２によって、カードリーダ１にカード２が正しく挿入されたことが検知されると、挿入口３の奥側を開放する。また、本形態では、後述のように、カードリーダ１の内部にカード２の全体が取り込まれるようになっており、挿入口３から挿入されたカード２がカードリーダ１の内部に完全に取り込まれると、シャッタ部材１１は、挿入口３の奥側を閉鎖する。なお、シャッタ部材１１は、モータ等の他の駆動源の動力によって、挿入口３の奥側を閉鎖する閉位置と、挿入口３の奥側を開放する開位置との間を上下動しても良い。
【００２７】
カード検知機構１２は、カード挿入部４の左右の両端側に配置される２個の検知レバー１５を備えている。検知レバー１５の上端側は、前後方向を軸方向として固定される固定軸１６に回動可能に支持されている。また、検知レバー１５には、たとえば、光学式センサ（図示省略）の発光素子と受光素子との間を遮るための遮光部（図示省略）が形成されており、カード挿入部４の左右の両端側に配置される２個の検知レバー１５のそれぞれに、カード２の長手方向における両端のそれぞれが接触して、固定軸１６を中心に検知レバー１５が回転すると、検知レバー１５の遮光部が光学式センサの発光素子と受光素子との間を遮るように構成されている。
【００２８】
本形態では、２個の検知レバー１５の両方が光学式センサの発光素子と受光素子との間を遮ると、カードリーダ１にカード２が正しく挿入されたことが検知される。すなわち、本形態では、カード検知機構１２は、カード２の長手方向における両端を検知することで、カードリーダ１にカード２が正しく挿入されたことを検知する。また、カード検知機構１２によって、カードリーダ１にカード２が正しく挿入されたことが検知されると、上述のように、シャッタ部材１１が挿入口３の奥側を開放するとともに、後述のモータ２７が起動して、搬送ローラ２０、２１が回転する。
【００２９】
カード搬送機構６は、カード２の下面に当接してカード２を搬送する搬送ローラ２０、２１と、上側から搬送ローラ２０、２１に対向配置されるパッドローラ２２、２３とを備えている。搬送ローラ２０は、本体部５の前面側に配置され、搬送ローラ２１は、本体部５の後面側に配置されている。前後方向における搬送ローラ２０の中心と搬送ローラ２１の中心との距離Ｌ１（図６参照）は、カード２の短手方向の幅Ｗ１（図２参照）よりもわずかに短くなっている。また、搬送ローラ２０、２１は、カード搬送路の左右の両端側のそれぞれに配置されている。カード搬送路の左右の両端側に配置される搬送ローラ２０は、回転軸２４に固定され、カード搬送路の左右の両端側に配置される搬送ローラ２１は、回転軸２５に固定されている。回転軸２４、２５には、ベルト、プーリおよび歯車列等によって構成される動力伝達機構２６を介してモータ２７が連結されている。なお、搬送ローラ２０、２１がカード２の上面に当接し、パッドローラ２２、２３が下側から搬送ローラ２０、２１に対向配置されても良い。
【００３０】
パッドローラ２２は、搬送ローラ２０に向かって付勢されており、上側からカード２に当接可能となっている。パッドローラ２３は、搬送ローラ２１に向かって付勢されており、上側からカード２に当接可能となっている。上述のように、搬送ローラ２０、２１は、カード搬送路の左右の両端側のそれぞれに配置されており、カード２の長手方向における両端側の上面に搬送ローラ２０、２１が当接し、カード２の長手方向における両端側の上面にパッドローラ２２、２３が当接する。具体的には、搬送ローラ２０、２１およびパッドローラ２２、２３は、カード２の長手方向における両端側であって、かつ、エンボス加工領域２ｃを避けた部分に当接する。なお、本形態の搬送ローラ２１は、第２搬送ローラであり、パッドローラ２３は、第２パッドローラである。
【００３１】
ヘッド移動機構８は、磁気ヘッド７が搭載されるキャリッジ３０と、左右方向へキャリッジ３０を案内するガイド軸３１と、キャリッジ３０を左右方向へ送るリードスクリュー３２と、磁気ヘッド７を上下動させるためのカム板３３とを備えている。キャリッジ３０は、キャリッジ本体３４と、磁気ヘッド７が固定されるヘッド保持部材３５とを備えている。キャリッジ本体３４には、リードスクリュー３２に係合するメネジ部材（図示省略）と、ガイド軸３１に係合する摺動軸受３６（図５参照）とが取り付けられている。リードスクリュー３２には、プーリやベルト等の動力伝達機構３７を介してモータ３８が連結されている。
【００３２】
キャリッジ本体３４には、ヘッド保持部材３５を回動可能に保持する固定軸３９が左右方向を軸方向として固定されている。キャリッジ本体３４とヘッド保持部材３５との間には、ネジリコイルバネ４０（図４参照）が配置されており、ヘッド保持部材３５は、ネジリコイルバネ４０の付勢力によって、固定軸３９を中心にして、磁気ヘッド７が上昇する方向へ付勢されている。カム板３３は、左右方向に細長い長尺状に形成されており、ヘッド保持部材３５には、左右方向におけるカム板３３の両端側に取り付けられるカム（図示省略）に当接するローラ４１（図４参照）が回転可能に取り付けられている。磁気ヘッド７は、前後方向において、搬送ローラ２０およびパッドローラ２２と、搬送ローラ２１およびパッドローラ２３との間に配置されている。
【００３３】
本形態では、モータ３８が駆動して、リードスクリュー３２が回転すると、ガイド軸３１に沿って、キャリッジ３０が左右方向へ移動する。左右方向における両端側では、カム板３３の両端側に取り付けられるカムにローラ４１が当接しており、図５の二点鎖線で示すように、磁気ヘッド７は、ネジリコイルバネ４０の付勢力に抗してカード搬送路よりも下側へ退避している。一方、カム板３３の両端側に取り付けられるカムからローラ４１が外れると、カムによってカード搬送路よりも下側に退避するように案内されていた磁気ヘッド７がネジリコイルバネ４０の付勢力で上昇して、カード２の磁気ストライプ２ａに当接可能になる。磁気ヘッド７が磁気ストライプ２ａに当接しながら、キャリッジ３０が左右方向へ移動することで、磁気ヘッド７によって磁気データの読取や記録が行われる。なお、磁気ヘッド７は、所定のケーブルを介して、カードリーダ１の制御基板に接続されている。
【００３４】
ＩＣ接点ブロック９は、カード２の端子部２ｂを構成する外部接続端子のそれぞれに接触するＩＣ接点バネ４５（図４参照）を備えている。このＩＣ接点ブロック９は、ホルダに保持されている。このホルダは、所定の支点を中心に回動可能となっており、この支点を中心にしてホルダが回動すると、ＩＣ接点ブロック９が上下動する。ＩＣ接点ブロック９は、圧縮コイルバネ４６（図５参照）の付勢力によって、ＩＣ接点バネ４５がカード搬送路から退避する上方向へ付勢されている。また、ＩＣ接点ブロック９を保持するホルダには、ソレノイド４７が連結されており、たとえば、ソレノイド４７が駆動すると、圧縮コイルバネ４６の付勢力に抗して、ＩＣ接点ブロック９が下降して、ＩＣ接点バネ４５が端子部２ｂを構成する外部接続端子に接触可能となる。
【００３５】
位置決め機構１０は、カードリーダ１内に取り込まれたカード２の奥端が当接する当接部５０ａが形成された位置決め部材５０と、カード搬送路から当接部５０ａを退避させる退避機構（図示省略）とを備えている。当接部５０ａは、前後方向において、磁気ヘッド７よりも奥側に配置されている。また、当接部５０ａは、前後方向において、搬送ローラ２１およびパッドローラ２３よりも前側に配置されている。上述のように、前後方向における搬送ローラ２０の中心と搬送ローラ２１の中心との距離Ｌ１は、カード２の短手方向の幅Ｗ１よりもわずかに短くなっており、前後方向における搬送ローラ２０の中心と当接部５０ａの前面との距離Ｌ２（図６参照）は、カード２の短手方向の幅Ｗ１よりも短くなっている。また、前後方向における挿入口３と当接部５０ａの前面との距離は、カード２の短手方向の幅Ｗ１よりも長くなっている。また、前後方向におけるシャッタ部材１１と当接部５０ａの前面との距離は、カード２の長手方向の幅Ｗ２よりも短くなっている。
【００３６】
退避機構は、所定のリンク機構や駆動源等を備えており、カード２の奥端が当接部５０ａに当接可能な当接位置と、当接部５０ａがカード搬送路から退避して搬送ローラ２１およびパッドローラ２３に向かってカード２が通過可能な退避位置との間で、位置決め部材５０を移動させる。本形態では、位置決め部材５０は、通常、当接位置にあり、所定の処理を行う場合に、退避位置へ移動する。
【００３７】
以上のように構成されたカードリーダ１では、カード２の表（おもて）面が上を向いた状態で一端２ｄ側から、挿入口３にカード２が挿入され、カード検知機構１２によってカード２の長手方向における両端が検知されると、シャッタ部材１１が挿入口３の奥側を開放する。また、モータ２７が起動して、カード２の一端２ｄが当接部５０ａに突き当たるまで、カード搬送機構６がカード２を搬送する。その後、モータ３８が起動し、磁気ヘッド７がカード２の磁気ストライプ２ａに当接しながら左右方向へ移動して、磁気データの読取や記録を行う。
【００３８】
上述のように、前後方向における搬送ローラ２０の中心と当接部５０ａの前面との距離Ｌ２は、カード２の短手方向の幅Ｗ１よりも短くなっており、カード２の一端２ｄが当接部５０ａに当接している状態では、カード２の前端側は、搬送ローラ２０とパッドローラ２２との間に挟まれている。本形態では、カード搬送機構６が、カード２の一端２ｄを当接部５０ａに押し付けた状態で、搬送ローラ２０とパッドローラ２２との間にカード２を保持しながら、磁気ヘッド７が左右方向へ移動して、磁気データの読取や記録を行う。また、上述のように、前後方向における挿入口３と当接部５０ａの前面との距離は、カード２の短手方向の幅Ｗ１よりも長くなっており、カード２の一端２ｄが当接部５０ａに当接している状態では、カード２の全体がカードリーダ１の内部に取り込まれている。
【００３９】
また、カード２の端子部２ｂを構成する外部接続端子にＩＣ接点バネ４５を接触させてカード２との間でデータのやりとりを行う際には、カード２の一端２ｄを当接部５０ａに押し付けた状態で、搬送ローラ２０とパッドローラ２２との間にカード２を保持しながら、ＩＣ接点ブロック９を下降させて、外部接続端子にＩＣ接点バネ４５を接触させる。このとき、ＩＣ接点バネ４５は、外部接続端子に所定の接触圧で接触する。
【００４０】
（本形態の主な効果）
以上説明したように、本形態では、カード搬送機構６が、カード２の一端２ｄを当接部５０ａに押し付けた状態で、搬送ローラ２０とパッドローラ２２との間にカード２を保持しながら、磁気ヘッド７が左右方向へ移動して、磁気データの読取や記録を行っている。すなわち、本形態では、国際規格やＪＩＳ規格に準拠した磁気ストライプ２ａ付きのカード２において、磁気ストライプ２ａの形成範囲の基準となるカード２の一端２ｄを当接部５０ａに押し付けた状態でカード２を保持しながら、磁気ヘッド７が移動して、磁気データの読取や記録を行っている。そのため、磁気データの読取や記録を行う前の磁気ヘッド７と磁気ストライプ２ａとの位置合わせを精度良く行うことが可能になり、また、磁気ヘッド７がカード２に当接しながら移動して磁気データの読取や記録を行っている際のカード２の位置ずれを防止することが可能になる。したがって、本形態では、国際規格やＪＩＳ規格に準拠した磁気ストライプ付きのカード２をその短手方向に搬送して処理する場合であっても、磁気データの読取精度や記録精度の低下を抑制することが可能になる。
【００４１】
また、本形態では、カード２の一端２ｄを当接部５０ａに押し付けた状態で、搬送ローラ２０とパッドローラ２２との間にカード２を保持しながら、ＩＣ接点ブロック９を下降させて、外部接続端子にＩＣ接点バネ４５を接触させているため、データのやりとりを行う前の外部接続端子とＩＣ接点バネ４５との位置合わせを精度良く行うことが可能になり、かつ、データのやりとりを行っている際のカード２の位置ずれを防止することが可能になる。カード２の短手方向における外部接続端子の寸法公差は、カード２の長手方向における外部接続端子の寸法公差よりも厳しいが、本形態では、データのやりとりを行う前の外部接続端子とＩＣ接点バネ４５との位置合わせを精度良く行うことが可能になり、かつ、データのやりとりを行っている際のカード２の位置ずれを防止することが可能になるため、外部接続端子とＩＣ接点バネ４５とを適切に接触させて、適切なデータのやりとりを行うことが可能になる。
【００４２】
本形態では、搬送ローラ２０およびパッドローラ２２は、カード２の長手方向における両端側であって、かつ、エンボス加工領域２ｃを避けた部分に当接している。そのため、磁気データの読取や記録を行う際や外部接続端子とＩＣ接点バネ４５とを接触させてデータのやりとりを行う際に、カード２の、エンボス加工領域２ｃを避けた凹凸のない部分を搬送ローラ２０とパッドローラ２２との間で保持することができ、その結果、カード２の保持力を高めることが可能になる。したがって、本形態では、磁気ヘッド７がカード２に当接しながら移動して磁気データの読取や記録を行っている際や外部接続端子とＩＣ接点バネ４５とが接触してデータのやりとりを行っている際のカード２の位置ずれを効果的に防止することが可能になる。また、本形態では、搬送ローラ２０、２１およびパッドローラ２２、２３は、カード２の長手方向における両端側であって、かつ、エンボス加工領域２ｃを避けた部分に当接しているため、エンボス加工によって形成されたエンボスに搬送ローラ２０、２１やパッドローラ２２、２３が当接しない。したがって、本形態では、エンボスの損傷や、エンボス部分の塗装落ち等を防止することが可能になる。
【００４３】
本形態では、カード検知機構１２は、カード２の長手方向における両端を検知することで、カードリーダ１にカード２が正しく挿入されたことを検知している。また、本形態では、カード検知機構１２によって、カードリーダ１にカード２が正しく挿入されたことが検知されると、シャッタ部材１１が挿入口３の奥側を開放し、搬送ローラ２０、２１が回転するが、カードリーダ１にカード２が正しく挿入されたことが検知されないと、シャッタ部材１１は挿入口３の奥側を閉鎖した状態を維持し、搬送ローラ２０、２１は回転しない。そのため、本形態では、たとえば、カード２の長手方向と前後方向とが一致するようにカードリーダ１にカード２が挿入されて、カード２の長手方向における両端がカード検知機構１２で検知されないと、カード２は、カードリーダ１の内部に取り込まれない。したがって、本形態では、犯罪者が挿入口３の前方にスキミング用磁気ヘッドを取り付けたとしても、スキミング用磁気ヘッドによる磁気データの不正取得を防止することができる。また、カード２の長手方向と前後方向とが一致するように、カードリーダ１にカード２が挿入されて、カード２の長手方向における両端がカード検知機構１２で検知されないと、カードリーダ１の内部にカード２が取り込まれないため、カードリーダ１の内部でカード２の短手方向へ磁気ヘッド７が移動して、カード２の短手方向で磁気ストライプ２ａに傷を生じさせることはない。カード２の短手方向で磁気ストライプ２ａに傷が生じると、磁気データの読取エラーが生じやすくなるが、本形態では、カードリーダ１の内部でカード２の短手方向へ磁気ヘッド７が移動して、カード２の短手方向で磁気ストライプ２ａに傷を生じさせることはないため、かかる問題が生じない。
【００４４】
本形態では、前後方向における挿入口３と当接部５０ａの前面との距離は、カード２の短手方向の幅Ｗ１よりも長くなっており、カード２の一端２ｄが当接部５０ａに当接している状態では、カード２の全体がカードリーダ１の内部に取り込まれている。そのため、本形態では、磁気データの読取や記録を行っている際や外部接続端子とＩＣ接点バネ４５とが接触してデータのやりとりを行っている際に、カードリーダ１からカード２が抜き取られるのを防止することが可能になる。その結果、本形態では、適切な磁気データの読取や記録を行うことが可能になり、また、外部接続端子とＩＣ接点バネ４５との間で適切なデータのやりとりを行うことが可能になる。
【００４５】
特に本形態では、挿入口３から挿入されたカード２がカードリーダ１の内部に完全に取り込まれると、シャッタ部材１１が挿入口３の奥側を閉鎖するため、磁気データの読取や記録を行っている際や外部接続端子とＩＣ接点バネ４５とが接触してデータのやりとりを行っている際に、カードリーダ１からカード２が抜き取られるのを確実に防止することが可能になる。したがって、本形態では、適切な磁気データの読取や記録を確実に行うことが可能になり、また、外部接続端子とＩＣ接点バネ４５との間で適切なデータのやりとりを確実に行うことが可能になる。
【００４６】
なお、本形態では、前後方向におけるシャッタ部材１１と当接部５０ａの前面との距離がカード２の長手方向の幅Ｗ２よりも短くなっているため、カード２の長手方向と前後方向とが一致するようにカードリーダ１にカード２が挿入された場合には、カード２の奥端が当接部５０ａの前面に当接していても、シャッタ部材１１が挿入口３の奥側を閉鎖することができない。したがって、シャッタ部材１１の状態を検知することで、カード２の短手方向と前後方向とが一致するようにカードリーダ１にカード２が挿入されたか否かを検知することが可能になる。また、シャッタ部材１１の状態に基づいて、カード２の短手方向と前後方向とが一致するようにカードリーダ１にカード２が挿入されていないことが検知された場合に、磁気ヘッド７が移動しないようにすることで、カード２の短手方向で磁気ストライプ２ａに傷が生じるのを防止することが可能になる。
【００４７】
本形態では、当接部５０ａの奥側に、搬送ローラ２１およびパッドローラ２３が配置されており、前後方向における搬送ローラ２０と搬送ローラ２１との距離Ｌ１は、カード２の短手方向の幅Ｗ１よりもわずかに短くなっている。また、本形態では、位置決め部材５０は、当接部５０ａがカード搬送路から退避して搬送ローラ２１およびパッドローラ２３に向かってカード２が通過可能な退避位置へ移動可能となっている。そのため、本形態では、位置決め部材５０を退避位置へ移動させれば、搬送ローラ２１とパッドローラ２３とによって、カードリーダ１のさらに奥側へカード２を搬送することが可能になる。したがって、本形態では、カードリーダ１の奥側において、カード２に対する各種の処理を行ったり、カード２を回収することが可能になる。すなわち、たとえば、カードリーダ１の奥側にカード２の表（おもて）面に印字を行う印字装置が配置されている場合には、印字装置に向かってカード２を搬送してカード２に印字を行うことが可能になる。また、たとえば、カードリーダ１の奥側にカード２を回収するカード回収庫が配置されている場合には、カード回収庫に向かってカード２を搬送して、カード２をカード回収庫に回収することが可能になる。
【００４８】
なお、ＩＣ接点ブロック９を下降させて、ＩＣ接点バネ４５で外部接続端子を押えた状態で、磁気ヘッド７を左右方向へ移動させて、磁気データの読取や記録を行っても良い。この場合には、磁気ヘッド７が移動して磁気データの読取や記録を行っている際のカード２の保持力を、ＩＣ接点バネ４５を利用して高めることが可能になる。したがって、この場合には、磁気ヘッド７がカード２に当接しながら移動して磁気データの読取や記録を行っている際のカード２の位置ずれを効果的に防止することが可能になる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態において、搬送ローラ２０の回転状態を検出するためのエンコーダが設けられても良い。この場合には、磁気データの読取や記録を行っている際にカード２の一端２ｄを当接部５０ａに押し付けた状態でカード２を保持する搬送ローラ２０が動いたか否か（すなわち、磁気データの読取や記録を行っている際にカード２が動いたか否か）をこのエンコーダを用いて検出することが可能になる。そのため、エンコーダでの検出結果に基づいて、磁気データの読取や記録を行っている際にカード２が動いたことが検出された場合に、所定の処理を行うことで、磁気データの読取精度や記録精度の低下を効果的に抑制することが可能になる。
【００５１】
上述した形態では、カード搬送機構６は、搬送ローラ２０、２１およびパッドローラ２２、２３等によって構成されている。この他にもたとえば、カード搬送機構６は、カード２の上面や下面に当接してカード２を搬送するベルト等によって構成されても良い。また、カード搬送機構６は、カード２を把持する把持機構およびこの把持機構を前後方向へ移動させる移動機構等によって構成されても良い。
【００５２】
上述した形態では、カード検知機構１２は、検知レバー１５および検出レバー１５の動作を検出する光学式センサ等によって構成されている。この他にもたとえば、カード検知機構１２は、検出レバー１５および検出レバー１５の動作を検出するマイクロスイッチ等によって構成されても良い。また、カード検知機構１２は、カード搬送路の、カード２が通過する部分を上下で挟むように配置される発光素子と受光素子とを有する光学式センサ等によって構成されても良いし、カード２の長手方向の端部が接触する位置に配置されるマイクロスイッチ等によって構成されても良い。
【００５３】
上述した形態では、カード２の一端２ｄが当接部５０ａに当接している状態において、カード２の全体がカードリーダ１の内部に取り込まれるように、カードリーダ１が構成されている。この他にもたとえば、カード２の一端２ｄが当接部５０ａに当接している状態において、カード２の前端側の一部がカードリーダ１の外部に露出するように、カードリーダ１が構成されても良い。
【００５４】
上述した形態では、位置決め部材５０は、当接部５０ａがカード搬送路から退避して搬送ローラ２１およびパッドローラ２３に向かってカード２が通過可能な退避位置へ移動可能となっている。この他にもたとえば、位置決め部材５０は、カード２の一端２ｄが当接部５０ａに当接可能な当接位置に固定されていても良い。この場合には、カード搬送機構６は、搬送ローラ２１およびパッドローラ２３を備えていなくても良い。
【００５５】
上述した形態では、搬送ローラ２０、２１を駆動するためのモータ２７と、キャリッジ３０を駆動するためのモータ３８とが別個に設けられている。この他にもたとえば、搬送ローラ２０、２１を駆動するためのモータとキャリッジ３０を駆動するためのモータとが共通のモータであっても良い。この場合には、搬送ローラ２０、２１およびキャリッジ３０とモータとの間に、モータからの動力の伝達経路を切り替える切替機構を設ければ良い。
【００５６】
上述した形態では、カード２は、厚さが０．７〜０．８ｍｍ程度の矩形状の塩化ビニール製のカードである。この他にもたとえば、一端２ｄが当接部５０ａに押し付けられたときに変形しない程度の剛性をカード２が備えているのであれば、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、ＩＣ接点ブロック９を備えているが、カードリーダ１は、ＩＣ接点ブロック９を備えていなくても良い。
【００５７】
上述した形態では、カード２の裏面に磁気ストライプ２ａが形成されている。この他にもたとえば、カード２の裏面に代えて、あるいは、カード２の裏面に加えて、カード２の表（おもて）面に磁気ストライプが形成されても良い。たとえば、ＪＩＳＸ６３０２の規格に準拠した磁気ストライプがカード２の表（おもて）面に形成されても良い。カード２の表（おもて）面のみに磁気ストライプが形成される場合には、カード搬送路の上側に磁気ヘッド７が配置される。また、磁気ストライプ２ａに加えて、カード２の表（おもて）面に磁気ストライプが形成される場合には、カード搬送路の上側および下側の両方に磁気ヘッド７が配置される。なお、上述した形態では、ＩＣ接点ブロック９および位置決め機構１０は、カード搬送路の上側に配置されているが、磁気ヘッド７がカード搬送路の上側に配置される場合には、磁気ヘッド７やヘッド移動機構８と干渉しない位置に、ＩＣ接点ブロック９および位置決め機構１０を配置すれば良い。
【符号の説明】
【００５８】
１  カードリーダ
２  カード
２ｃ  エンボス加工領域
２ｄ  一端（カードの短手方向におけるカードの一端）
３  挿入口
４  カード挿入部
６  カード搬送機構
７  磁気ヘッド
８  ヘッド移動機構
１１  シャッタ部材
１２  カード検知機構
２０  搬送ローラ
２１  搬送ローラ（第２搬送ローラ）
２２  パッドローラ
２３  パッドローラ（第２パッドローラ）
４５  ＩＣ接点バネ
５０ａ  当接部
Ｗ、Ｘ  カードの短手方向
Ｖ、Ｙ  カードの長手方向
Ｘ１  カードの取込方向
【図１】
0005326011.tif 000002
【図２】
0005326011.tif 000003
【図３】
0005326011.tif 000004
【図４】
0005326011.tif 000005
【図５】
0005326011.tif 000006
【図６】
0005326011.tif 000007